Podtech/llm-jp-corpus-v4-ja_patent huggingface dataset:
【手続補正書】
【提出日】平成16年12月20日(2004.12.20)
【手続補正１】
【補正対象書類名】明細書
【補正対象項目名】請求項１
【補正方法】変更
【補正の内容】
【請求項１】  一般式I：
【化１】
2004517153.tif 000001
〔式中、
X-Y-Zは、2つの構造式CH＝C-CまたはCH2-C＝Cのうちの1つを有する基を表し；
R1は、α-またはβ-位置にあり、そして水素、RまたはP-Q-Rを表し、これはPを介して基本環構造に結合され、ここで、PおよびQは直鎖または分枝鎖の、任意に部分的または完全フッ素化されていてもよいC1〜C8のアルキレン、−アルケニレン、−アルキニレン基を表し、そして同一であっても異なっていてもよく、そしてRは、CH3基またはCF3基を表すが、但し、X-Y-Zが基CH2-C＝Cを表す場合には、置換基R1はZに存在せず；
R6は、水素原子であるか、またはR7で示される意味を有することができ、
R7は、Rを表すか、またはPを介して基本環構造に結合されるP-Q-Rを表し、これらの基は前記の意味を有し；
R11はハロゲンを表し；
R13は、メチルまたはエチルであり；そして
R17は水素であるかまたはC(O)-R18を表し、ここで、R18は、直鎖または分枝鎖のC1〜C18のアルキル、−アルケニル、−アルキニル基またはアリール基であるか、あるいはTを介してC(O)基に結合されるT-U-Vを表し、ここでTおよびUは直鎖または分枝鎖のC1〜C18のアルキレン、−アルケニレン、−アルキニレン基、脂環式C3〜C12基またはアリール基を表し、そして同一であるかまたは異なり、そしてVは直鎖または分枝鎖のC1〜C18のアルキル、−アルケニルまたは−アルキニル基あるいはアリール基であり；あるいは、
R18は、前記の意味のうちの1つを有し、さらに、1または複数の基NR19R20あるいは1または複数の基SOxR21(ここで、x＝0、1または2であり、そして各々の場合、R19、R20およびR21は水素、またはTを介してN又はSに結合されるT-U-Vであり、そしてこのT-U-Vは前記の意味を有する)で置換される〕
を有する11β-ハロゲンステロイド、ならびに無機および有機酸との生理学的適合性付加塩。
【手続補正２】
【補正対象書類名】明細書
【補正対象項目名】請求項８
【補正方法】変更
【補正の内容】
【請求項８】  一般式Iの11β-ハロゲンステロイド、即ち、
11β-フルオロ-17β-ヒドロキシ-7α-メチル-エストル-4-エン-3-オン、
11β-クロロ-17β-ヒドロキシ-7α-メチル-エストル-4-エン-3-オン、
11β-ブロモ-17β-ヒドロキシ-7α-メチル-エストル-4-エン-3-オン、
17β-ヒドロキシ-11β-ヨード-7α-メチル-エストル-4-エン-3-オン、
7α-エチル-11β-フルオロ-17β-ヒドロキシ-エストル-4-エン-3-オン、
11β-フルオロ-7α-(フルオロメチル)-17β-ヒドロキシ-エストル-4-エン-3-オン、
11β-フルオロ-17β-ヘプタノイルオキシ-7α-メチル-エストル-4-エン-3-オン、
11β-フルオロ-7α-メチル-17β-ウンデカノイルオキシ-エストル-4-エン-3-オン、
11β-フルオロ-17β-ヒドロキシ-7α-メチル-エストル-5(10)-エン-3-オン。
【手続補正書】
【提出日】平成17年1月17日(2005.1.17)
【手続補正１】
【補正対象書類名】明細書
【補正対象項目名】発明の名称
【補正方法】変更
【補正の内容】
【発明の名称】尿失禁を治療するための２−アミノ−１−（４−ヒドロキシ−３−メタンスルホンアミドフェニル）エタノールの使用
【手続補正２】
【補正対象書類名】明細書
【補正対象項目名】特許請求の範囲
【補正方法】変更
【補正の内容】
【特許請求の範囲】
【請求項１】  式Ｉの化合物のＲ−鏡像異性体又はその薬理学的に許容可能な塩。
【化１】
2004517158.tif 000001
【請求項２】  式Ｉの化合物のＳ−鏡像異性体又はその薬理学的に許容可能な塩。
【化２】
2004517158.tif 000002
【請求項３】  薬理学的に許容可能な塩が、塩酸塩である請求項１又は２に記載の化合物。
【請求項４】  請求項１〜３のいずれか１項に記載の化合物を含む医薬組成物。
【請求項５】  １日あたり０．００１ｍｇ〜１ｇの投与量の形態で、請求項１〜３のいずれか１項に記載の化合物を含む、医薬組成物。
【請求項６】  タブレット又はカプセルの形態にある、請求項４又は５記載の医薬組成物。
【請求項７】  式Ｉの化合物、
【化３】
2004517158.tif 000003
そのＲ−鏡像異性体、そのＳ−鏡像異性体、そのラセミ体若しくはそれらいずれかの医薬的に許容可能な塩から選ばれる化合物の、尿失禁の治療剤を調製するための使用。
【請求項８】  化合物が、Ｒ−鏡像異性体又はその薬理学的に許容可能な塩のみを含み、そのＳ型を含まない請求項７に記載の使用。
【請求項９】  化合物が、Ｓ−鏡像異性体又はその薬理学的に許容可能な塩のみを含み、そのＲ型を含まない請求項７に記載の使用。
【請求項１０】  化合物がラセミ体又はその薬理学的に許容可能な塩を含む、請求項７に記載の使用。
【請求項１１】  治療剤が、該化合物を１日あたり０．００１ｍｇ〜１ｇの投与量の形態で含む、請求項７〜１０のいずれか１項に記載の使用。
【請求項１２】  治療剤が経口投与用のものである、請求項７〜１０のいずれか１項に記載の化合物の使用。
【請求項１３】  治療剤がタブレット又はカプセルの形態で投与される、請求項１２項記載の使用。
【請求項１４】  治療剤が、経皮的投与用、非経口投与用、直腸内投与用又は膣投与用のものである、請求項７〜１０のいずれか１項に記載の使用。
【請求項１５】  式Ｉの化合物、
【化４】
2004517158.tif 000004
そのＲ−鏡像異性体、そのＳ−鏡像異性体、そのラセミ体又はそれらいずれかの医薬的に許容可能な塩から選ばれる化合物を含む、尿失禁を治療するための医薬組成物。
【請求項１６】  化合物を、１日あたり０．００１ｍｇ〜１ｇの投与量の形態で含む、請求項１５記載の医薬組成物。
【請求項１７】  経口投与用である、請求項１５又は１６記載の医薬組成物。
【請求項１８】  タブレット又はカプセルの形態である、請求項１７記載の医薬組成物。
【請求項１９】  経皮投与用、非経口投与用、直腸内投与用又は膣投与用である、請求項１５又は１６記載の医薬組成物。
【手続補正３】
【補正対象書類名】明細書
【補正対象項目名】０００１
【補正方法】変更
【補正の内容】
【０００１】
本発明は、特には尿失禁を治療するための、２−アミノ−１−（４−ヒドロキシ−３−メタンスルホンアミドフェニル）エタノール、その２つの光学異性体の一方及び／又はその薬理学的に許容可能な塩を含む薬剤に関する。
本発明の化合物は、以下の構造式Ｉを有する。
【化１】
2004517158.tif 000005
【手続補正４】
【補正対象書類名】明細書
【補正対象項目名】００１２
【補正方法】変更
【補正の内容】
【００１２】
３．医薬組成物
例Ａ：タブレット
2004517158.tif 000006
調製：活性物質を、数種の賦形剤と混合し、通常の方法において顆粒化した。顆粒を篩にかけ、残りの賦形剤と組み合わせ、圧縮して、質量１８０ｍｇのタブレットにした。
【手続補正５】
【補正対象書類名】明細書
【補正対象項目名】００１３
【補正方法】変更
【補正の内容】
【００１３】
例Ｂ：アンプル
2004517158.tif 000007
調製：活性物質及び塩化ナトリウムを注入用水中に溶解し、無菌状態のガラスアンプル中に移した。
【手続補正６】
【補正対象書類名】明細書
【補正対象項目名】００１４
【補正方法】変更
【補正の内容】
【００１４】
例Ｃ：カプセル
2004517158.tif 000008
調製：活性物質を賦形剤と混合し、当該技術分野において既知のカプセル中に充填した。
【手続補正書】
【提出日】平成16年12月17日(2004.12.17)
【手続補正１】
【補正対象書類名】明細書
【補正対象項目名】特許請求の範囲
【補正方法】変更
【補正の内容】
【特許請求の範囲】
【請求項１】  肺への経口吸入に適した、噴霧乾燥したポリエン粉末を調製するための方法であって、該方法は、以下の工程：
（ｉ）ポリエン抗真菌化合物を酸性化溶媒中に溶解して、酸性ポリエン含有溶液を形成する工程、および
（ｉｉ）該ポリエン含有溶液を噴霧乾燥して、約１０％以下のポリエン分解産物を含有し、かつ６０％よりも多い噴出用量によって特徴付けられる、吸入可能な乾燥粉末を形成する工程
を包含する、方法。
【請求項２】  肺への経口吸入に適した、噴霧乾燥したポリエン粉末を調製するための方法であって、該方法は、以下の工程：
（ｉ）ポリエン抗真菌化合物を水性溶媒に懸濁して懸濁液を形成する工程、
（ｉｉ）（ｉ）からの該懸濁液を湿式ミリングして、湿式ミリングされた懸濁液を形成する工程、および
（ｉｉｉ）該湿式ミリングされた懸濁液を噴霧乾燥して、約１０％以下のポリエン分解産物を含み、かつ約６０％より多い噴出用量によって特徴付けられる、吸入可能な乾燥粉末を生成する工程
を包含する、方法。
【請求項３】  請求項１に記載の方法によって生成された、乾燥粉末。
【請求項４】  請求項２に記載の方法によって生成された、乾燥粉末。
【請求項５】  肺への経口吸入に適した、噴霧乾燥した粉末組成物であって、該組成物は、治療有効量のポリエン抗真菌化合物を含み、ここで、該組成物が、約１０％以下のポリエン分解産物を含み、そして約６０％より多くの噴出用量によって特徴付けられる、粉末組成物。
【請求項６】  肺への経口吸入に適した、噴霧乾燥した粉末組成物であって、治療有効量のポリエン抗真菌化合物および１〜３個のアミノ酸残基を含むロイシル含有賦形剤を含む、粉末組成物。
【請求項７】  肺への経口吸入に適した、エアゾール化された、噴霧乾燥した粉末組成物であって、該組成物は、治療有効量のポリエン抗真菌化合物を含み、ここで、該組成物は、約１０％以下のポリエン分解産物を含み、そして約６０％より多い噴出用量によって特徴付けられる、粉末組成物。
【請求項８】  活性因子を含む溶液または懸濁液を噴霧乾燥して、特定のＭＭＡＤを有する粒子を形成する工程を包含する吸入可能な噴霧乾燥した粉末を調製するための方法であって、噴霧乾燥する工程の間または後のいずれかで、該粉末を、水分に曝露する工程なしで形成された粒子のＭＭＡＤから該粒子の該ＭＭＡＤを低下させるに有効な量の水分に曝露する工程を包含する、方法。
【手続補正書】
【提出日】平成16年10月1日(2004.10.1)
【手続補正１】
【補正対象書類名】明細書
【補正対象項目名】特許請求の範囲
【補正方法】変更
【補正の内容】
【特許請求の範囲】
【請求項１】  内臓痛の予防又は治療に役立つ薬剤の調製のための（１α，３α，５α）−３−アミノメチル−ビシクロ［３．２．０］ヘプタン−３−酢酸又は製薬上許容可能なその塩の使用。
【請求項２】  胃腸障害の予防又は治療に役立つ薬剤の調製のための（１α，３α，５α）−３−アミノメチル−ビシクロ［３．２．０］ヘプタン−３−酢酸又は製薬上許容可能なその塩の使用。
【請求項３】  前記障害が、機能性腸障害又は炎症性腸疾患である請求項２に記載の使用。
【請求項４】  前記機能性腸障害が、胃−食道逆流、消化不良、過敏性腸症候群又は機能性腹痛症候群である請求項３に記載の使用。
【請求項５】  前記炎症性腸疾患が、クローン病、回腸炎又は潰瘍性大腸炎である請求項３に記載の使用。
【請求項６】  前記痛みが、月経困難痛、骨盤痛、膀胱炎痛、膵炎に関連する、請求項１に記載の使用。
【請求項７】  前記薬剤が、経口投与用配合品である請求項１及び６の何れか１項に記載の使用。
【請求項８】  治療有効量の（１α，３α，５α）−３−アミノメチル−ビシクロ［３．２．０］ヘプタン−３−酢酸又は製薬上許容可能なその塩を含む、内臓痛を予防又は治療するための医薬組成物。
【請求項９】  治療有効量の（１α，３α，５α）−３−アミノメチル−ビシクロ［３．２．０］ヘプタン−３−酢酸又は製薬上許容可能なその塩を含む、胃腸障害を予防又は治療するための医薬組成物。
【請求項１０】  前記障害が、機能性腸障害又は炎症性腸疾患である請求項９に記載の医薬組成物。
【請求項１１】  前記機能性腸障害が、胃−食道逆流、消化不良、過敏性腸症候群又は機能性腹痛症候群である請求項１０に記載の医薬組成物。
【請求項１２】  前記炎症性腸疾患が、クローン病、回腸炎又は潰瘍性大腸炎である請求項１０に記載の医薬組成物。
【請求項１３】  前記痛みが、月経困難痛、骨盤痛、膀胱炎痛、膵炎に関連する、請求項８に記載の医薬組成物。
【請求項１４】  前記薬剤が、経口投与用配合品である請求項８〜１３の何れか１項に記載の医薬組成物。
【手続補正書】
【提出日】平成16年12月22日(2004.12.22)
【手続補正１】
【補正対象書類名】明細書
【補正対象項目名】請求項６
【補正方法】変更
【補正の内容】
【請求項６】  請求項１に記載の式Ｉで表される化合物の調製方法であって、
ａ）式ＩＩ
【化２】
2004517145.tif 000001
式中、
Ｌは、ＣＩ、Ｂｒ、Ｉまたは遊離若しくは機能的に改変した反応性ＯＨ基であり、およびＲ２は、請求項１で定義したとおりである、
で表される化合物を、式ＩＩＩ
【化３】
2004517145.tif 000002
式中、
Ｒ１およびａｌｋは、請求項１で定義したとおりである、
で表される化合物と反応させる、
または
ｂ）式ＩＶ
【化４】
2004517145.tif 000003
式中、
Ｒ２は、請求項１で定義したとおりである、
で表される化合物を、式Ｖ
【化５】
2004517145.tif 000004
式中、
Ｌは、Ｃｌ、Ｂｒ、Ｉまたは遊離若しくは機能的に改変した反応性ＯＨ基であり、並びにＲ１およびａｌｋは、請求項１で定義したとおりである、
で表される化合物と反応させる、
または
ｃ）所望により、基Ｒ３、Ｒ４、Ｒ５および／またはＲ６の１つを、例えば、ＯＨ基を形成するためにＯＡを切断する、および／またはＣＨＯ基を、ＣＮ基に転化することによって、別の基Ｒ３、Ｒ４、Ｒ５および／またはＲ６に転化する、
および／または
結果として生じる式Ｉで表される塩基を、酸で処理することによって、その塩の１種に転化する、
ことを特徴とする、前記方法。
【手続補正２】
【補正対象書類名】明細書
【補正対象項目名】００１７
【補正方法】変更
【補正の内容】
【００１７】
ｃ）所望により、基Ｒ３、Ｒ４、Ｒ５および／またはＲ６の１つを、例えば、ＯＨ基を形成するためにＯＡを切断する、および／またはＣＨＯ基を、ＣＮ基に転化することによって、別の基Ｒ３、Ｒ４、Ｒ５および／またはＲ６に転化する、
および／または
結果として生じる式Ｉで表される塩基を、酸で処理することによって、その塩の１種に転化する、
ことを特徴とする前記方法に関する。
【手続補正３】
【補正対象書類名】明細書
【補正対象項目名】００２６
【補正方法】変更
【補正の内容】
【００２６】
さらに好ましくは、２−ニトロ−４−（トリフルオロメチル）フェニル、３，５−ジ（トリフルオロメチル）フェニル、２，４−ジメチルフェニル、２−ヒドロキシ−３，５−ジクロロフェニル、２−フルオロ−５−または４−フルオロ−３−（トリフルオロメチル）フェニル、４−クロロ−２−または４−クロロ−３−（トリフルオロメチル）フェニル、２−クロロ−４−または２−クロロ−５−（トリフルオロメチル）フェニル、４−ブロモ−２−または４−ブロモ−３−（トリフルオロメチル）フェニル、ｐ−ヨードフェニル、２−ニトロ−４−メトキシフェニル、２，５−ジメトキシ−４−ニトロフェニル、２−メチル−５−ニトロフェニル、２，４−ジメチル−３−ニトロフェニル、４−フルオロ−３−クロロフェニル、４−フルオロ−３，５−ジメチルフェニル、２−フルオロ−４−ブロモフェニル、２，５−ジフルオロ−４−ブロモフェニル、２，４−ジクロロ−５−メチルフェニル、３−ブロモ−６−メトキシフェニル、３−クロロ−６−メトキシフェニル、２−メトキシ−５−メチルフェニルまたは２，４，６−トリイソプロピルフェニルである。
Ｒ１は、非常に特に好ましくは、４−フルオロフェニルである。
【手続補正４】
【補正対象書類名】明細書
【補正対象項目名】００５３
【補正方法】変更
【補正の内容】
【００５３】
例１Ａ：
５−ＨＴ２Ａ受容体の懸濁液の調製：
ラット前頭皮質を、氷冷緩衝液に均一化する。ホモジネートを、４℃および５０，０００rpmで１０分間遠心分離する。ペレットを、氷冷トリス緩衝液２．５ｍｌに再び懸濁させ、さらに緩衝液を加え１０ｍｌとし、上記のように遠心分離する。次いで、ペレットを、再び緩衝液に懸濁し、希釈して、１ｍｌ中６０ｍｇの物質を含有するホモジネートを得る。懸濁液０．１ｍｌ、５ｎＭ［３Ｈ］ケタンセリン溶液１００μｌ、試験化合物１００μｌ（１Ｌ当たり１０−５〜１０−１０モルの範囲の濃度）を、インキュベーションチューブに導入し、緩衝液で１ｍｌとする。該チューブを、３７℃で１５分間インキュベートする。チューブを、氷浴に浸漬することによってインキュベートを中断した後、冷却された懸濁液を、減圧下で、ガラスフィルターを介してろ過する。フィルターを、冷却緩衝液５ｍｌで三回洗浄し、次いで、シンチレーションチューブに移す。フィルターを、Ｔｒｉｔｏｎ−Ｘ液体シンチレータ８ｍｌの液体シンチレーションペクトロメトリーによって分析する。
【手続補正書】
【提出日】平成16年12月8日(2004.12.8)
【手続補正１】
【補正対象書類名】明細書
【補正対象項目名】０００７
【補正方法】変更
【補正の内容】
【０００７】
あらゆる既知のシロアリ殺虫剤若しくは抑制剤またはシロアリ駆除剤も、本発明の実施において使用し得る。これらは、キチン合成阻害剤、例えばヘキサフルムロン（hexaflumuron）、フルフェノクスロン（flufenoxuron）、ルフェヌロン（lufenuron）およびジミリン（dimilin）、幼若ホルモン模擬物、例えばメトプレン（methoprene）およびピリプロキシフェン（pyriproxyfen）、消化毒物、例えばサルファアミド（sulfuramide）、アバメクチン（abamectin）、氷晶石、ホウ酸並びにアルカリおよびアルカリ土類ホウ酸塩、並びに接触殺虫剤、例えばチアメトキサン（thiamethoxam）、イミダクロプリド（imidacloprid）およびフィプロニル（fipronil）、またはこれら薬剤の混合物若しくは組合せを含む。使用するシロアリ殺虫剤の粒度は、幅広い範囲で変化し得るが、好ましくは上記セルロース系誘引物質の粒度と同じオーダーである。ジミリンをシロアリ殺虫剤として使用することが好ましく、ジミリンにとってより好ましい粒度範囲は、約２〜５マイクロメートルである。シロアリ殺虫剤または抑制剤は、食餌組成物中に様々な濃度、例えば０.１〜１質量％で存在し得る。
【手続補正書】
【提出日】平成16年10月4日(2004.10.4)
【手続補正１】
【補正対象書類名】明細書
【補正対象項目名】請求項１
【補正方法】変更
【補正の内容】
【請求項１】  再使用可能な天然モンモリロナイト／金属イオン−交換クレー触媒の存在下で、芳香族アミン、脂肪族アミン、環式アミンおよびヘテロ環式アミンを含む群から選択された炭素原子数１〜２０のアミンとカルボン酸を含むアシル化剤とを、１：３〜１：１０のモル比で３０〜１６０℃の範囲内の温度で０．０２〜６時間にわたり、適する溶媒媒体中で反応させ、従来の単一仕上げ（ｗｏｒｋ−ｕｐ）手順によって対応するアミドを回収することを含む、アミドの製造に関する単一工程方法。
【手続補正２】
【補正対象書類名】明細書
【補正対象項目名】請求項５
【補正方法】変更
【補正の内容】
【請求項５】  前記溶媒は、トルエン、クロロベンゼンなどの芳香族炭化水素、ジクロロエタンおよび酢酸から選択される、請求項１に記載の方法。
【手続補正３】
【補正対象書類名】明細書
【補正対象項目名】００２４
【補正方法】変更
【補正の内容】
【００２４】
本発明のもう一つの実施形態において、反応のために用いられる溶媒は、トルエン、クロロベンゼンなどの芳香族炭化水素、ジクロロエタンおよび酢酸から選択される。
【手続補正書】
【提出日】平成16年12月7日(2004.12.7)
【手続補正１】
【補正対象書類名】明細書
【補正対象項目名】特許請求の範囲
【補正方法】変更
【補正の内容】
【特許請求の範囲】
【請求項１】  （ａ）（Ｓ,Ｓ）−レボキセチンまたは医薬上有効なその塩；および（ｂ）クロザピン、オランザピン、リスペリドン、ジプラシドンおよびクエチアピン、およびそれらの混合物から選択される１以上の神経遮断薬または医薬上有効なそれらの塩を含む組成物。
【請求項２】  ０．１ｍｇないし１０ｍｇの（Ｓ,Ｓ）−レボキセチンを含有する請求項１記載の組成物。
【請求項３】  神経遮断薬が、クロザピン、オランザピン、リスペリドンおよびそれらの混合物よりなる群から選択される請求項１記載の組成物。
【請求項４】  請求項１ないし３いずれかに記載の組成物を含む、中枢神経系の疾患または障害を治療または予防するための医薬組成物。
【請求項５】  該疾患または障害が、肥満、うつ病、統合失調症、ストレス関連疾患、パニック障害、恐怖症、強迫障害、外傷後ストレス症候群、免疫系低下、泌尿器、胃腸または心筋系に関するストレス誘発性問題、神経変性障害、自閉症、化学療法誘発嘔吐、高血圧、片頭痛、群発性頭痛、失禁、性不全、中毒障害および禁断症候群、適応障害、加齢による学習および精神障害、神経性食欲不振、アパシー、全般的医療状態による注意欠陥障害、注意欠陥多動障害、双極性障害、神経性過食症、慢性疲労症候群、行為障害、循環病、気分変調性障害、線維筋痛症その他の身体表現性障害、全般性不安障害、吸入障害、中毒障害、運動障害、反抗挑戦性障害、疼痛障害、末梢神経障害、外傷後ストレス障害、月経前不快気分障害、精神病性障害、季節性感情障害、睡眠障害、特異的発達障害、および選択的セロトニン再取込み阻害薬（ＳＳＲＩ）「プープアウト」症候群よりなる群から選択される請求項４記載の医薬組成物。
【請求項６】  該疾患または障害が統合失調症である請求項４記載の医薬組成物。
【手続補正書】
【提出日】平成17年2月4日(2005.2.4)
【手続補正１】
【補正対象書類名】明細書
【補正対象項目名】特許請求の範囲
【補正方法】変更
【補正の内容】
【特許請求の範囲】
【請求項１】  半導体デバイス（５２）の第１の側面に配置された少なくとも１つの電気接触部を有する前記半導体デバイス（５２；３５２）と、
電気相互接点のアレイを含むフレキシブル中間回路（５８）と、
第１及び第２の側面を有する少なくとも１層の非重合体層（５０；３５０）であって、前記非重合体層（５０；３５０）の前記第１の側面が前記半導体デバイス（５２）の前記第１の側面に構造的に結合され、前記非重合体層（５０；３５０）の前記第２の側面が前記中間回路（５８）に構造的に結合されるようになっている非重合体層（５０；３５０）と、を備え、
前記非重合体層（５０）が電気的に伝導性であることを特徴とする電子パッケージ。
【請求項２】  前記中間回路（５８）及び前記非重合体層（５０；３５０）の中央部分を貫通して延在するスロット（１１０）であって、前記スロット（１１０）が前記半導体デバイスの前記少なくとも１つの電気接触部と一列を成すようになっているスロット（１１０）をさらに備える、請求項１記載の電子パッケージ。
【請求項３】  第１及び第２の側面を有する実装層（３５１）をさらに含み、前記実装層の前記第１の側面が前記伝導性非重合体層の前記第２の側面に構造的に結合され、前記実装層（３５１）の前記第２の側面が前記中間回路（５８）に構造的に結合されている、請求項１又は２のいずれかに記載の電子パッケージ。
【請求項４】  前記中間回路（５８）は、パターン形成された伝導層（５９）及び少なくとも１層のパターン形成された誘電層（６０）を含み、前記非重合体層（５０）の前記第２の側面が、前記中間回路（５８）の前記伝導層（５９）に構造的に結合されており、
前記半導体デバイス（５２）は、複数の電気接触部を含み、前記接触部が前記中間回路（５８）の前記伝導層（５９）に電気的に結合されている、請求項１記載の電子パッケージ。
【手続補正書】
【提出日】平成17年5月2日(2005.5.2)
【手続補正１】
【補正対象書類名】明細書
【補正対象項目名】特許請求の範囲
【補正方法】変更
【補正の内容】
【特許請求の範囲】
【請求項１】  針状触媒粒子を支持する針状ミクロ構造担体ウィスカーを含み、前記針状超微小触媒粒子が異なった触媒材料の交互層を含む、ナノ構造要素。
【請求項２】  前記針状超微小触媒粒子が、Ｐｔ含有及びＲｕ含有触媒の交互層を含む、請求項１に記載のナノ構造要素。
【請求項３】  前記針状超微小触媒粒子の成長表面の組成が、該針状超微小触媒粒子のバルクの組成と異なり、前記針状超微小触媒粒子がＰｔ及びＲｕを含み、該針状ナノ触媒粒子の成長表面の組成が、該針状超微小触媒粒子のバルクの組成より大きいＰｔ／Ｒｕ比を構成する、請求項１に記載のナノ構造要素。
【請求項４】  Ｐｔ及びＲｕを含み、触媒のバルク中のＰｔのＲｕに対する重量比が１：１より小さく、触媒の表面上のＰｔのＲｕに対する重量比が１：１より大きい、一酸化炭素許容触媒。
【手続補正２】
【補正対象書類名】明細書
【補正対象項目名】００１１
【補正方法】変更
【補正の内容】
【００１１】
本発明の要旨 要約して言えば、この発明は、電気化学電池に使用するための針状超微小触媒粒子(acicular nanoscopic catalyst particles)を支持する微小針状担体ウィスカー(acicular micorstructured support whiskers)を含むナノ構造要素(nanostructured elements)、このような要素を作製するためのプロセス及び装置を提供する。この発明の触媒は、一酸化炭素の存在下で水素を酸化するためのＰＥＦＣアノード触媒において改善された性能を示した。この発明の触媒を、燃料電池、センサー、電解槽、塩素（ｃｈｌｏｒ）−アルカリ分離器等のＭＥＡ中で用いることができる。
【手続補正３】
【補正対象書類名】明細書
【補正対象項目名】００１５
【補正方法】変更
【補正の内容】
【００１５】
この適用例において、 「膜電極組体」（ｍｅｍｂｒａｎｅ ｅｌｅｃｔｒｏｄｅ ａｓｓｅｍｂｌｙ）は、電解質、及び膜に隣接する少なくとも１つ、好ましくは２つ以上の電極を具備する膜を含む構造体を意味する。
「成長表面」（ｇｒｏｗｔｈ ｓｕｒｆａｃｅ）は、超微小触媒粒子に対して、堆積した材料が優先的に組み入れられる表面の一部分を意味する。
「ナノ構造要素」（ｎａｎｏｓｔｒｕｃｔｕｒｅｄ ｅｌｅｍｅｎｔ）は、その表面の少なくとも一部分の上に触媒材料を含む針状の不連続な、微小構造(microscopic structure)を意味する。
「ミクロ構造」（ｍｉｃｒｏｓｔｒｕｃｔｕｒｅ）は、針状の不連続な、微小構造(microscopic structure)を意味する。
「超微小触媒粒子」（ナノスコープ触媒粒子；ｎａｎｏｓｃｏｐｉｃ ｃａｔａｌｙｓｔ ｐａｒｔｉｃｌｅ）は、少なくとも１つの寸法が約１０ｎｍ以下であるか、または、普及品２−シータＸ線回折走査の回折ピーク半値幅から測定したとき、微結晶の寸法が約１０ｎｍ以下である触媒材料の粒子を意味する。
「針状」（ａｃｉｃｕｌａｒ）は、長さの平均横断面の幅の比が３以上であることを意味する。
「不連続（な）」（ｄｉｓｃｒｅｔｅ）は、別々の一体性を有する異なった要素を指すが、要素が互いに接触していることを除外しない。
「微小（の）」（ミクロスコープ；ｍｉｃｒｏｓｃｏｐｉｃ）は、少なくとも１つの寸法が約１マイクロメータ以下であることを意味する。
【手続補正書】
【提出日】平成17年2月9日(2005.2.9)
【手続補正１】
【補正対象書類名】明細書
【補正対象項目名】特許請求の範囲
【補正方法】変更
【補正の内容】
【特許請求の範囲】
【請求項１】  液状乳製品の切線方向の毛管泳動による前記乳製品中の分析物の存在の検出を可能にするアッセイ装置であって、
第１端部と第２端部を有し、次の膜、
−分析した液体を精製することを可能にする膜（２）、
−１以上の捕獲物質が固定されている膜（３）及び
−吸収性の膜（４）
が、第１端部から始まり順次固定されている固体支持体（１）を含み、アッセイ装置の第１端部を分析する乳製品中に浸漬した後に、試料の切線方向の毛管泳動の間に、乳製品中に存在するかもしれない分析物及び実施する方法にしたがって用いられる検出試薬がアッセイ装置中を泳動しないようにする、乳製品に存在する物質を膜（２）が保持することができることを特徴とする装置。
【請求項２】  前記膜（２）がロイコソーブ（Ｌｅｕｋｏｓｏｒｂ）膜であることを特徴とする請求項１に記載の装置。
【請求項３】  少なくとも１種の検出試薬を析出させた膜（５）を更に有し、前記膜（５）は膜（３）の前に位置していることを特徴とする請求項１または２に記載の装置。
【請求項４】  前記膜が接着性プラスチックフィルム（６）により完全または部分的に被覆されていることを特徴とする請求項１〜３のいずれか１項に記載のアッセイ装置。
【請求項５】  前記プラスチックフィルム（６）がアッセイ装置の最初の数ミリメートルを被覆していないことを特徴とする請求項４に記載のアッセイ装置。
【請求項６】  アッセイ装置が前記膜（２）の上方に水盤の形の開口及び前記膜（３）の上方に窓開口を有するプラスチックの箱の内に位置していることを特徴とする請求項１〜４のいずれか１項に記載のアッセイ装置。
【請求項７】  請求項１〜６のいずれか１項に記載のアッセイ装置を用いて、液状乳製品中の分析物を検出する方法であって、次の工程、
ａ）定められた容積の乳製品と本発明によるアッセイ装置との接触、この接触はアッセイ装置の第１端部で行なわれ、
ｂ）乳製品中に存在するかもしれない分析物と検出試薬を、徐々に、膜（２）、次いで膜（３）を通過させ、膜（２）及び（３）により停止しない乳製品の構成成分が膜（４）で終りとなるような、アッセイ装置の乳製品の毛管現象による切線方向の泳動、及び
ｃ）膜（３）上の固定の測定
を含む方法。
【請求項８】  前記検出試薬が、前記分析物またはこの分析物の類似物質を特異的に認識可能な少なくとも１種の物質及び少なくとも１種の標識化剤を含むことを特徴とする請求項７に記載の方法。
【請求項９】  前記分析物またはこの分析物の類似物質を特異的に認識可能な少なくとも１種の物質を少なくとも１種の標識化剤と反応させることを特徴とする請求項８に記載の方法。
【請求項１０】  前記標識化剤が、蛍光性、粒子状、放射性、発光性または酵素的であることを特徴とする請求項８または９に記載の方法。
【請求項１１】  少なくとも１種の検出剤を工程ａ）の前に加えることを特徴とする請求項７〜１０のいずれか１項に記載の方法。
【請求項１２】  工程ａ）の前に調製された混合物を、少なくとも１種の前記検出試薬が前記分析物またはこの分析物の類似物質と安定で、かつ、本質的に不可逆的な複合物を形成することを可能にするインキュベート条件下に維持することを特徴とする請求項１１に記載の方法。
【請求項１３】  前記検出試薬がさらに少なくとも１種の対照標準物質を含むことを特徴とする請求項８〜１０のいずれか１項に記載の方法。
【請求項１４】  前記分析物が、テトラサイクリン類、たとえば、テトラサイクリン、オキシテトラサイクリンまたはクロルテトラサイクリンであることを特徴とする請求項７〜１３のいずれか１項に記載の方法。
【請求項１５】  前記分析物が、第１に液状乳製品の外因性タンパク質、たとえば、外来タンパク質であるか、または、第２に、乳製品の内因性タンパク質、たとえば、ホルモン、たとえば、プロゲステロンまたは成長ホルモンであることを特徴とする請求項７〜１３のいずれか１項に記載の方法。
【請求項１６】  前記分析物がβ−ラクタム環である抗生物質であることを特徴とする請求項７〜１３のいずれか１項に記載の方法。
【請求項１７】  前記分析物を、ベンジルペニシリン（ペニシリンＧ）、アンピシリン、アモキシリン、カルベニシリン、メチシリン、クロキサシリン、６−ＡＰＡ、モノラクタム、アズトレオナム、メシリナム、セファレキシン、セファログリシン、セファロリジン、ニトロセフィン、セファトキシム、デフロキシム、セフチオファー、セファピリン、７−ＡＣＡからなる群から選択することを特徴とする請求項７〜１３のいずれか１項に記載の方法。
【請求項１８】  前記分析物または前記分析物の類似物質を特異的に認識可能な物質を、前記分析物または前記分析物の類似物質と安定で、かつ、本質的に不可逆性の複合体を形成可能なレセプター及び前記分析物または前記分析物の類似物質に特異的なモノクローナル抗体またはポリクローナル抗体から選択することを特徴とする請求項８〜１７のいずれか１項に記載の方法。
【請求項１９】  前記分析物または前記分析物の類似物質を特異的に認識可能な物質が、抗生物質感受性微生物から得られたレセプター、たとえば、バチルス種、ストレプトコッカス種またはアクチノミセテス種から得られたレセプターであることを特徴とする請求項１８に記載の方法。
【請求項２０】  前記分析物または前記分析物の類似物質を特異的に認識可能な物質が、バチルス・リヘニホルミスから得られた、β−ラクタム環を有する抗生物質に感受性のレセプターであることを特徴とする請求項１８または１９に記載の方法。
【請求項２１】  β−ラクタム環を有する抗生物質に感受性で、かつ、バチルス・リヘニホルミスから得られたレセプターがレセプターＢｌａＲまたはレセプターＢｌａＲ−ＣＴＤであることを特徴とする請求項２０に記載の方法。
【請求項２２】  カードを、接着剤で被覆した固体支持体（１）と膜から貼合せ機により製造し、捕獲溶液を膜（３）上に析出させ、次いで、カードを、細長い片に切断し、これらの細長い片の各々がアッセイ装置を構成することを特徴とする請求項１〜６のいずれか１項に記載のアッセイ装置を製造する方法。
【請求項２３】  請求項１〜６のいずれか１項に記載のアッセイ装置を含むアッセイキット。
【手続補正書】
【提出日】平成17年2月7日(2005.2.7)
【手続補正１】
【補正対象書類名】明細書
【補正対象項目名】特許請求の範囲
【補正方法】変更
【補正の内容】
【特許請求の範囲】
【請求項１】  選択された波長、振動数および振幅でエネルギーを伝えるための振動ホーン（１０）において、
軸方向入力端（２２）を備えるシャフト（１８）であって、該軸方向入力端で振動エネルギーを受けるシャフトと、
内面（２６）、外面（２８）並びに互いに反対側の第１および第２端面（３０、３２）を有するシリンダ（１２）であって、該第１端面が前記シャフトに隣接して配置され、該第２端面が、対象物に振動エネルギーを印加する溶接面として作用し、該シリンダが、中空であるとともに前記シャフトの直径よりも大きい外径（１６）を備え、前記シャフトの前記軸方向入力端への振動エネルギーの印加に伴って該シリンダが膨張および収縮するに従い、該溶接面が移動するようになっているシリンダと、
内部の前記シャフトを前記シリンダに接続するディスク部（２０）であって、前記シャフトが前記振動エネルギーを該ディスク部に伝搬し、該ディスク部が該振動エネルギーを前記シリンダに柔軟性を有して伝搬するようになっているディスク部とを具備し、
前記シリンダの長さがホーン材料の約２分の１波長の奇数倍であるか偶数倍であるかに関わらず、前記シリンダの前記第１端面が前記シャフトの前記軸方向入力端の移動と異なる位相で移動すること、
を特徴とする振動ホーン。
【請求項２】  前記シリンダ（１２）の長さが前記ホーン材料の約２分の１波長の奇数倍であり、前記シリンダの前記第１端面（３０）が前記第２端面（３２）の移動と異なる位相で移動し、前記溶接面が前記シャフトの前記軸方向入力端の移動と実質的同位相で移動する、請求項１に記載の振動ホーン。
【手続補正書】
【提出日】平成16年8月13日(2004.8.13)
【手続補正１】
【補正対象書類名】明細書
【補正対象項目名】特許請求の範囲
【補正方法】変更
【補正の内容】
【特許請求の範囲】
【請求項１】  少なくとも１種のアルカノールアミンを少なくとも１０重量％含有する洗浄用の酵素不含濃厚組成物を医学用および／または外科用の器具類および／または器械装置類の洗浄に使用する方法であって、該濃厚組成物の即時可使性希釈水溶液のｐＨが６〜１０である該方法。
【請求項２】  アルカノールアミンが次式：
【化１】
2001519462.tif 000001
（式中、Ｒ1は炭素原子数１〜６のヒドロキシアルキル基を示し、Ｒ2およびＲ3は相互に独立して該ヒドロキシアルキル基または水素原子を示す）
で表される化合物である請求項１記載の方法。
【請求項３】  濃厚組成物がモノエタノールアミン、ジエタノールアミンおよび／またはトリエタノールアミンを含有する請求項２記載の方法。
【請求項４】  濃厚組成物の即時可使性希釈水溶液のｐＨが７〜９である請求項１から３いずれかに記載の方法。
【請求項５】  濃厚組成物が、炭素原子数２〜６のモノカルボン酸、ジカルボン酸およびトリカルボン酸から成る群から選択される少なくとも１種の有機酸を含有する請求項１から４いずれかに記載の方法。
【請求項６】  濃厚組成物が、クエン酸、酒石酸、リンゴ酸、乳酸、グリコール酸、グリオキシル酸、コハク酸、アジピン酸およびグルタル酸から成る群から選択される少なくとも１種の酸を含有する請求項５記載の方法。
【請求項７】  濃厚組成物が少なくとも１種の錯化剤を含有する請求項１から６いずれかに記載の方法。
【請求項８】  濃厚組成物がニトリロ三酢酸および／またはその塩を含有する請求項７記載の方法。
【請求項９】  濃厚組成物が、鎖長がＣ1〜Ｃ22の脂肪族アルコールおよび／または鎖長がＣ2〜Ｃ22の脂肪族ジオールおよび／または脂肪族ポリオールとリン酸との少なくとも１種のモノエステルおよび／またはジエステルを付加的に含有する請求項７または８記載の方法。
【請求項１０】  濃厚組成物中のアルカノールアミンの含有量が１０〜４０重量％、好ましくは１０〜２０重量％である請求項１から９いずれかに記載の方法。
【請求項１１】  洗浄を物理的におこなう請求項１から１０いずれかに記載の方法。
【請求項１２】  下記の過程（ａ）〜（ｃ）を含む医学用および／または外科用の器具類および／または器械装置類の洗浄方法：
（ａ）少なくとも１種のアルカノールアミンを少なくとも１０重量％含有する洗浄用の酵素不含濃厚組成物の水溶液（濃度：０.５〜１００％）であって、即時可使性希釈水溶液のｐＨが６〜１０である該水溶液を適用し、
（ｂ）室温〜該水溶液の沸点の温度で被洗浄物に該水溶液を２秒間〜１０分間作用させ、次いで、
（ｃ）すすぎ処理をおこなう。
【請求項１３】  過程（ａ）において、該濃厚組成物を、濃度が０.５〜２０％、好ましくは０.５〜１０％、より好ましくは１〜５％の水溶液として適用する請求項１２記載の方法。
【請求項１４】  過程（ｂ）において、室温〜５５℃、好ましくは３５〜５０℃、より好ましくは４０〜５０℃で該水溶液を作用させる請求項１２または１３記載の方法。
【請求項１５】  過程（ｂ）における該水溶液の作用時間が１０秒間〜１０分間、好ましくは３０秒間〜５分間である請求項１２から１４いずれかに記載の方法。
【請求項１６】  熱的消毒過程を付加的に含む請求項１２から１５いずれかに記載の方法。
【手続補正書】
【提出日】平成15年6月30日(2003.6.30)
【手続補正１】
【補正対象書類名】明細書
【補正対象項目名】特許請求の範囲
【補正方法】変更
【補正の内容】
【特許請求の範囲】
【請求項１】
ａ）１〜９５質量％の、５ｎｍ〜２０μｍの一次粒子サイズを有する固体ＩＩＩ、および、
ｂ）５〜９９質量％の、
ｂ１）α）カルボン酸、スルホン酸、または２種類以上のこれらの誘導体
または混合物と反応することができる少なくとも１種類の化合物Ｖ
Ｉと、
β）化合物ＶＩの１モルあたり少なくとも１モルの、フリーラジカ
ル重合可能な少なくとも１つの官能基を有するカルボン酸またはス
ルホン酸ＶＩＩまたはこれらの誘導体またはこれらの２種類以上の
混合物と、
の縮合生成物Ｖ、および、
ｂ２）主鎖または側鎖にポリエーテルセグメントを有しかつ少なくとも５
０００の平均分子量（数平均）を有する他の化合物ＶＩＩＩ、
を重合することによって得ることができるポリマー組成物ＩＶ（但し、縮合生
成物Ｖの量はポリマー組成物ＩＶに対して５〜１００質量％であり、化合物Ｖ
ＩＩＩの量はポリマー組成物ＩＶに対して０〜９５質量％である。）、
を含んでなるミックスＩＩａ；および、
少なくとも１種類の、式（Ｅ１）〜（Ｅ４）：
【化１】
2001519464.tif 000001
【化２】
2001519464.tif 000002
【化３】
2001519464.tif 000003
【化４】
2001519464.tif 000004
（式中Ｒ１、Ｒ２、Ｒ３およびＲ４はそれぞれ相互に同一であっても異なっていてもよく、互いに独立に、直鎖状または分岐状のＣ１−Ｃ４アルキル、（−ＣＨ２−ＣＨ２−Ｏ）n−ＣＨ３（ｎは１〜３）、Ｃ３−Ｃ６シクロアルキルまたは芳香族炭化水素基のいずれかであり、これらは置換されていてもよく、但し基Ｒ１、Ｒ２、Ｒ３およびＲ４のうちの少なくとも１つの基が（−ＣＨ２−ＣＨ２−Ｏ）n−ＣＨ３（ｎは１〜３）である。）のエステル；
を含む混合物。
【請求項２】
ａ）１〜９５質量％の、５ｎｍ〜２０μｍの一次粒子サイズを有する固体ＩＩＩ、および、
ｂ）５〜９９質量％の、
ｂ１）フリーラジカル重合することができ、請求項１に示されたカルボン
酸またはスルホン酸ＶＩＩまたはこれらの誘導体または２種類以上のこれらの混合物とは異なる化合物Ｘと、
ｂ２）主鎖または側鎖にポリエーテルセグメントを有しかつ少なくとも５
０００の平均分子量（数平均）を有する他の化合物ＶＩＩＩと、
を重合することによって得ることができるポリマーＩＸ（但し、化合物Ｘの量
はポリマーＩＸに対して５〜７５質量％であり、化合物ＶＩＩＩの量はポリマ
ーＩＸに対して２５〜９５質量％である。）、
を含んでなるミックスＩＩｂ；および、
少なくとも１種類の、式（Ｅ１）〜（Ｅ４）：
【化５】
2001519464.tif 000005
【化６】
2001519464.tif 000006
【化７】
2001519464.tif 000007
【化８】
2001519464.tif 000008
（式中Ｒ１、Ｒ２、Ｒ３およびＲ４はそれぞれ相互に同一であっても異なっていてもよく、互いに独立に、直鎖状または分岐状のＣ１−Ｃ４アルキル、（−ＣＨ２−ＣＨ２−Ｏ）n−ＣＨ３（ｎは１〜３）、Ｃ３−Ｃ６シクロアルキルまたは芳香族炭化水素基のいずれかであり、これらは置換されていてもよく、但し基Ｒ１、Ｒ２、Ｒ３およびＲ４のうちの少なくとも１つの基が（−ＣＨ２−ＣＨ２−Ｏ）n−ＣＨ３（ｎは１〜３）である。）のエステル；
を含む混合物。
【請求項３】
前記少なくとも１種類の式（Ｅ１）〜（Ｅ４）のエステルにおいて、Ｒ１、Ｒ２、および存在する場合にはＲ３および／またはＲ４が同一であって、−ＣＨ２−ＣＨ２−Ｏ−ＣＨ３−または（−ＣＨ２−ＣＨ２−Ｏ）２−ＣＨ３であることを特徴とする請求項１または２に記載の混合物。
【請求項４】
前記少なくとも１種類のエステルが、化合物（Ｅ１ａ）〜（Ｅ４ａ）：
【化９】
2001519464.tif 000009
【化１０】
2001519464.tif 000010
【化１１】
2001519464.tif 000011
【化１２】
2001519464.tif 000012
よりなる群から選択されることを特徴とする請求項１〜３のいずれかに記載の混合物。
【請求項５】
前記ミックスＩＩａが、
ａ）１〜９５質量％の、５ｎｍ〜２０μｍの一次粒子サイズを有する固体ＩＩＩ、および、
ｂ）５〜９９質量％の、
ｂ１）α）主鎖に炭素および酸素を含有する多価アルコールＶＩと、
β）多価アルコールＶＩの１モルあたり少なくとも１モルのα，β−
不飽和カルボン酸ＶＩＩと、
の縮合生成物Ｖ、および、
ｂ２）主鎖または側鎖にポリエーテルセグメントを有しかつ少なくとも５，    ０００の平均分子量（数平均）を有する他の化合物ＶＩＩＩ、
を重合することによって得ることができるポリマー組成物ＩＶ（但し、縮合生成物Ｖの量はポリマー組成物ＩＶに対して５〜１００質量％であり、化合物ＶＩＩＩの量はポリマー組成物ＩＶに対して０〜９５質量％である。）、
を含むことを特徴とする、請求項１、３または４に記載の混合物。
【請求項６】
ＬｉＰＦ６、ＬｉＢＦ４、ＬｉＣｌＯ４、ＬｉＡｓＦ６、ＬｉＣＦ３ＳＯ３、ＬｉＣ（ＣＦ３ＳＯ２）３、ＬｉＮ（ＣＦ３ＳＯ２）２、ＬｉＮ（ＳＯ２Ｆ）２、ＬｉＮ（ＣＦ３ＣＦ２ＳＯ２）２、ＬｉＡｌＣｌ４、ＬＩＳｉＦ６およびＬｉＳｂＦ６より成る群から選択される少なく１種類の伝導性塩を更に含有することを特徴とする請求項１〜５のいずれかに記載の混合物。
【請求項７】
少なくとも１種類の請求項４に定義された化合物（Ｅ１ａ）〜（Ｅ４ａ）およびＬｉＢＦ４を含有することを特徴とする請求項６に記載の混合物。
【請求項８】
前記固体ＩＩＩが塩基性固体であることを特徴とする請求項１〜７に記載の混合物。
【請求項９】
電気伝導性の電気化学的に活性な化合物を含む少なくとも１つの第１層、および、
請求項１〜８のいずれかに記載の混合物を含み、電気伝導性の電気化学的に活性な化合物を含まない少なくとも１つの第２層、
を含む複合体。
【請求項１０】
請求項１〜８のいずれかに記載の混合物または請求項９に記載の複合体をそれぞれ含む、固体電解質、セパレーター、電極、センサー、エレクトロクロミックウインドウ、ディスプレイ、キャパシタまたはイオン伝導性フィルム。
【請求項１１】
請求項１０に記載の固体電解質、セパレーターまたは電極または２種類以上のこれらの組合わせを含む電気化学電池。
【請求項１２】
請求項１１に記載の電気化学電池を含む、自動車電池、電気器具電池または平面タイプ電池。
【手続補正書】
【提出日】平成16年12月17日(2004.12.17)
【手続補正１】
【補正対象書類名】明細書
【補正対象項目名】特許請求の範囲
【補正方法】変更
【補正の内容】
【特許請求の範囲】    【請求項１】  移動通信システムの基地局であって、  ＲＦ信号処理装置と、  送信器装置と、受信器装置とを含み、コーダ装置とデコーダ装置とを含む信号処理リソースをさらに含むベースバンド信号処理装置と、  前記信号処理装置と前記送信装置と前記受信装置の間に結合された１対の信号インターフェースを含む第１信号インターフェースであって、前記対の信号インターフェースの一方の信号インターフェースは前記受信装置と前記デコーダ装置との間に結合されて前記受信装置と前記デコーダ装置のリソース間で信号を柔軟に割当て、前記対の信号インターフェースの他方の信号インターフェースは前記送信装置と前記コーダ装置との間に結合されて前記送信装置と前記コーダ装置のリソース間で信号を柔軟に割当てる前記第１信号インターフェースと、  前記ＲＦ信号処理装置と前記ベースバンド信号処理装置との間に結合され、前記ＲＦ信号処理装置のリソースを前記ベースバンド信号処理装置の任意のリソースに柔軟に割当てる第２信号インターフェースと、を含む移動通信システムの基地局。    【請求項２】  移動通信システムの基地局であって、  ＲＦ信号処理装置と、  送信装置と受信装置、及び信号処理装置をさらに含むベースバンド信号処理装置と、  前記信号処理装置と前記送信装置と受信装置との間に結合された第１信号インターフェースであって、呼をサービスするため前記送信装置と前記受信装置のリソース間で前記信号処理装置のリソースを柔軟に割当てる前記第１信号インターフェースと、を含む移動通信システムの基地局。    【請求項３】  請求項２記載の基地局において、前記第１信号インターフェースは、前記信号処理装置の前記リソースを前記送信装置と前記受信装置の前記リソースに柔軟に結合する基地局。    【請求項４】  請求項３記載の基地局において、前記ＲＦ信号処理装置と前記ベースバンド信号処理装置の前記送信装置と前記受信装置との間に結合され、前記ＲＦ信号処理装置のリソースを前記送信装置と前記受信装置の任意のリソースに柔軟に割当てる第２信号インターフェースをさらに含む基地局。    【請求項５】  請求項１又は３記載の基地局において、前記信号処理リソースはコーダ副装置とデコーダ副装置とを含み、前記送信装置と前記受信装置は各々複数個の送信及び受信副装置をさらに含み、前記コーダ及びデコーダ副装置の任意の１個以上が各々前記第１信号インターフェースを通して任意の数の前記送信及び受信副装置に結合される基地局。    【請求項６】  移動通信システムの基地局内のリソースを柔軟に割当てる方法であって、前記基地局によりサポートされる呼をサービスするため、前記リソースはＲＦ信号処理リソースとベースバンド信号処理リソースとを含み、前記方法は、  呼の受信に応答して、前記呼をサービスするのに必要な前記ベースバンド信号処理リソースの一部を柔軟に割当てる段階と、  前記呼の終了時に、将来の呼をサービスするため、全体又はその一部を、将来の割当用に前記ベースバンド信号処理リソースの前記割当て部分を前記ベースバンド信号処理リソースに返還する段階と、を含む移動通信システムの基地局内のリソースを柔軟に割当てる方法。    【請求項７】  請求項６記載の方法において、前記基地局は前記チャネルを通して複数個のセクタへ及びセクタから信号を送受信し、一定量の前記ＲＦリソースを前記確立チャネルへ割当てて、前記チャネルを通して任意の数の前記セクタへ及びセクタから信号を送受信する段階をさらに含む方法。    【請求項８】  請求項６記載の方法において、前記ベースバンド信号処理リソースを送信及び受信リソース、及びコーダ及びデコーダ・リソースに分割する段階をさらに含み、前記送信、受信、コーダ、デコーダ・リソースの各々は基本リソース装置に分割される方法。    【請求項９】  請求項８記載の方法において、任意数の前記送信リソース装置と任意数の前記コーダ・リソース装置が前記呼に割当て可能となるように前記送信リソース装置を前記コーダ・リソース装置に結合する段階をさらに含む方法。    【請求項１０】  請求項８記載の方法において、任意数の前記受信リソース装置と任意数の前記エンコーダ・リソース装置が前記呼に割当て可能となるように前記受信リソース装置を前記デコーダ・リソース装置に結合する段階をさらに含む方法。